(57)【要約】      （修正有）【課題】ＯＣＢ液晶表示装置において、不正期信号が出力された期間にあわせて逆転移状態からの復帰を行うことができ、正常な液晶表示を行うまでの時間を短縮する。【解決手段】第１の検出手段３よりも誤検出を起こす可能性があるが検出するまでの時間が短い第２検出手段５によって同期信号が不安定になったことを検出し、第１の検出手段３と第２の検出手段５の検出した時間差によって、信号処理手段１から液晶表示手段２に不正期信号が出力された期間を算出し必要となる転移復帰駆動時間を演算手段７によって求め、転移復帰駆動手段８で転移復帰駆動を求めた期間行うことによって、不安定な同期信号が液晶表示手段２に出力された期間にあわせて転移復帰駆動を行わせる構成とした。【選択図】図１
2005115041.tif 000002
【特許請求の範囲】
【請求項１】
画像表示を行う液晶表示手段と、液晶表示手段で表示する出力映像信号を出力する信号処理手段と、前記信号処理手段の送信した前記出力映像信号の同期信号が安定した（以下正規信号）状態から不安定な（以下不正規信号）状態になったことを検出し検出信号Ａを出力する第１の検出手段と、検出信号Ａの出力された時に前記信号処理手段を制御信号によって制御する制御手段を備えた液晶表示装置であって、正規信号から不正規信号になった事を検出するまでの時間が前記第１の検出手段より短い検出信号Ｂを出力する第２の検出手段と、時間計測に使うためのカウンターと、前記検出信号Ａと前記検出信号Ｂと前記制御信号と前記カウンターを用いて逆転移状態からの復帰に必要な転移復帰駆動時間を求め出力信号を出力する第１の演算手段と、前記出力信号の出力した期間に前記液晶表示手段に駆動信号を出力する事で転移復帰駆動を行う転移復帰駆動手段をもつことを特徴とする液晶表示装置。
【請求項２】
第２の検出手段が検出した後一定時間経過までに検出信号Ａが出力されなかった場合は、第２の検出手段が誤検出した時であり、前記検出信号Ａと誤検出した時の前記検出信号Ｂの時間差を用いて演算を行う可能性があるため、その時の検出結果を破棄する手段をもった第２の演算手段を用いることによって、不必要な転移復帰駆動を防止することを特徴とする請求項２記載の液晶表示装置。
【請求項３】
前記検出信号Ｂが出力された後に前記検出信号Ａが設定値によって設定した期間の間に出力されなかった場合に前記出力信号を出力しない機能を前記第１の演算手段に追加した第２の演算手段を備えたことを特徴とする請求項２記載の液晶表示装置。
【発明の詳細な説明】
【技術分野】
【０００１】
本発明は、アクティブマトリックス型液晶表示装置の駆動方法および液晶表示装置に係り、特に広視野角、高速応答性を有するＯＣＢ（ＯｐｔｉｃａｌｌｙＣｏｍｐｅｎｓａｔｅｄ  Ｂｉｒｅｆｒｉｎｇｅｎｃｅ）液晶モードを利用した液晶表示装置の駆動方法および液晶表示装置に関するものである。
【背景技術】
【０００２】
ＯＣＢ液晶表示装置でもちいるＯＣＢセルは、ＴＮ型セルに比べ、広視野角、高速応答という特性を持ち、自然動画表示により適した液晶セルであるといえる。ＯＣＢ液晶モードは、映像表示が可能な状態にあたるベンド配向と、映像表示できない状態にあたるスプレイ配向とをもつ。このスプレイ配向からベンド配向に移行するためには、一定時間高電
圧を印加するなどの独特な駆動が使用される。
【０００３】
前記の独特な駆動によりいったんベンド配向になっても、液晶層に所定のレベル以上の電圧が一定時間以上印加されない状態が続くと、ベンド配向が維持できずスプレイ配向に戻る（以下、この現象を逆転移と呼ぶ）という現象が生じる。従来、確認されているように、前記の逆転移現象を防止する駆動方法（以下、逆転移防止駆動と呼ぶ）として、映像表示期間とは異なる期間に高電位を液晶層に印加していた。詳細は「日本液晶学会  液晶  第３巻  第２号  １９９９」を参照のこと。
【０００４】
また、ＯＣＢセルを用いて、逆転移の発生を抑圧し、過度の輝度低下を生じることなく良好な映像を表示することが可能な液晶表示装置を提供するために入力信号の電圧値を検出し、その値から液晶表示手段上での逆転移現象の生じやすさを判定し、それに基づいて非映像信号の保持期間、あるいは非映像信号の電圧レベル、あるいはその両方を制御することにより、逆転移現象の抑圧を効果的に行っていた。（特開２００２−３４１３１０）
液晶表示手段に入力する出力映像信号の同期信号が不安定（以下、不正期信号と呼ぶ）になった時、入力信号の検出値に影響を及ぼすため逆転移が発生する。
【０００５】
そのため、無信号時には擬似同期信号により、逆転移からの復帰が行える電圧レベルの表示を一定の期間出画することにより、逆転移からの復帰（以下、この駆動を逆転移復帰駆動と呼ぶ）をおこなっていた。（特開昭６０−１９４８８２）
【特許文献１】特開昭６０−１９４８８２号公報
【発明の開示】
【発明が解決しようとする課題】
【０００６】
信号処理手段から出力される映像表示手段から不正規信号を検出する前記第１の検出手段の検出結果は、制御手段の制御によって前記液晶表示手段に悪影響を及ぼす可能性があり、誤検出を無くす必要がある為、映像信号が不安定になった時から検出までの時間が長くなる特徴があり、液晶表示手段で起こりえる逆転移状態からの復帰駆動を行う時間を長く設定しなければならないという課題があった。
【０００７】
本発明は前記課題に鑑み、前記液晶表示手段において不安定な映像信号を表示した期間を算出できるようにしたことで、前記液晶表示手段において逆転移状態からの復帰を短い時間で行う事を特徴としたものである。
【課題を解決するための手段】
【０００８】
前記課題を解決するために、本発明の液晶表示装置は、信号処理手段から出力する出力映像信号が不安定になったことを検出する検出精度が劣るが検出までの時間は短い第２の検出手段を追加し、２つの検出手段を用いて表示された映像信号が不安定になった期間を求め、必要な逆転移復帰駆動を行う時間を算出し、算出結果から逆転移復帰駆動を液晶表示手段で行うことを特徴としたものである。
【発明の効果】
【０００９】
本発明は、不正期信号が出力された期間にあわせて逆転移状態からの復帰を行うことができ、正常な液晶表示を行うまでの期間を短縮することが出来る。
【００１０】
さらに第２の検出結果が誤検出をした時の検出信号Ｂに左右されずに、逆転移復帰駆動を行うことが出来る。
【発明を実施するための最良の形態】
【００１１】
請求項１に記載の発明は、画像表示を行う液晶表示手段と、液晶表示手段で表示する出力映像信号を出力する信号処理手段と、前記信号処理手段の送信した前記出力映像信号の同期信号が正規信号から不正規信号になったことを検出し検出信号Ａを出力する第１の検出手段と、検出信号Ａの出力された時に前記信号処理手段を制御信号によって制御する制御手段を備えた液晶表示装置において、誤検出はあるが正規信号から不正規信号になった事を検出するまでの時間が前記第１の検出手段より短い検出信号Ｂを出力する第２の検出手段と、時間計測に使うためのカウンターと、前記検出信号Ａと前記検出信号Ｂと前記制御信号と前記カウンターを用いて逆転移状態からの復帰に必要な転移復帰駆動時間を求め出力信号を出力する第１の演算手段と、前記出力信号の出力した期間に前記液晶表示手段に駆動信号を出力する事で転移復帰駆動を行う転移復帰駆動手段をもつことを特徴としたものであり、転移復帰駆動からの復帰を短い時間で行う作用を有する。
【００１２】
請求項２に記載の発明は、前記第２の検出手段が誤検出したことによる不必要な転移復帰駆動を防ぐことを実現しうる請求項１に記載の液晶表示装置である。
【００１３】
請求項３に記載の発明は、前記検出信号Ｂが出力された後に前記検出信号Ａが設定した期間の間に出力されなかった場合に記出力信号を出力しない機能を前記第１の演算手段に追加した第２の演算手段を備えたことを特徴とする請求項２に記載の液晶表示装置である。
【００１４】
（実施の形態１）
以下、本発明の一実施の形態について、図１、３、４を用いて説明する。
【００１５】
図１において、１は信号処理手段、２は液晶表示手段、３は第１の検出手段、４は制御手段、５は第２の検出手段、６はカウンター、７は第１の演算手段、８は転移復帰駆動手段である。
【００１６】
図３は、入力映像信号が不正規信号になった時のタイムチャートである。
【００１７】
図４は、第１の演算手段のフローチャートである。
【００１８】
また図３、４において、カウンターの示すその時の時刻Ｔｎ、Ｔａは検出信号ＡがＨになった時刻、Ｔｂは検出信号ＢがＨになった時刻、Ｔｗｃは不正期信号を出力する期間、Ｔｗｃ’は逆転移状態から復帰するために必要な期間、Ｔｄは逆転移状態から復帰するために必要な期間の終了時刻、フラグＣは演算手段で算出する転移復帰期間をしめすフラグである。
【００１９】
信号処理手段１からの出力映像信号が不正期信号になった時、第２の検出手段５が検出信号Ｂを出力する。第１の演算手段７は前記検出信号Ｂが出力された時にカウンター６のしめすその時の時刻ＴｎをＴｂとして記憶する。
【００２０】
ここで、誤検出を防ぐために前記第２の検出手段５よりも検出までの時間が長い第１の検出手段３が検出信号Ａを出力する。
【００２１】
前記第１の演算手段は前記検出信号Ａが出力された時に前記カウンタ−により前記ＴｎをＴａとして記憶しフラグＣをＨにし、演算手段の出力信号をＨにし、前記ＴａとＴｂの時間差から不正期信号出力期間Ｔｗｃを求め、前記Ｔｗｃより逆転移状態から復帰するために必要な期間Ｔｗｃ’を求め、前記Ｔａと前記Ｔｗｃ’の和から逆転移状態から復帰するために必要な期間の終了時刻Ｔｄを求め、前記Ｔｎが前記Ｔｄを経過した場合フラグＣをＬにし、検出信号ＡとフラグＣがＬだった場合、前記出力信号をＬにする。
【００２２】
転移復帰駆動手段は前記出力信号がＨの期間に駆動信号によって前記液晶表示手段を制御することで逆転移状態からの復帰を行う。
【００２３】
（実施の形態２）
以下、本発明のもうひとつの実施の形態について、図２、５、  ６を用いて説明する。
【００２４】
図２において、１は信号処理手段、２は液晶表示手段、３は第１の検出手段、４は制御手段、５は第２の検出手段、６はカウンター、７は第２の演算手段、８は転移復帰駆動手段、９は設定時間である。
【００２５】
図５は、第２の検出手段が誤検出した時のタイムチャートである。
【００２６】
図６は、第２の演算手段のフローチャートである。
【００２７】
また図５、６において、カウンターの示すその時の時刻Ｔｎ、Ｔａは検出信号ＡがＨになった時刻、Ｔｂは検出信号ＢがＨになった時刻、Ｔｗｃは不正期信号を出力する期間、Ｔｗｃ’は逆転移状態から復帰するために必要な期間、Ｔｗｌｉｍは検出信号Ｂの出力後から検出信号Ａが出力されるまでの時間の制限をする設定値、Ｔｄは逆転移状態から復帰するために必要な期間の終了時刻、フラグＣは演算手段で算出する転移復帰期間を示すフラグ、フラグＤは検出信号ＢがＨになっていることを示すフラグである。
【００２８】
信号処理手段１からの出力映像信号が不正期信号になった時、第２の検出手段５が検出信号Ｂを出力する。第２の演算手段７は前記検出信号Ｂが出力された時にカウンター６のしめすその時の時刻ＴｎをＴｂとして記憶し、フラグＤをＨにする。
【００２９】
ここで、誤検出を防ぐ第１の検出手段３は前記検出信号Ａを出力しないため、その後に不正規信号がくるまでＴｂからの時間が経過しつづけるため、その後検出信号Ａが出力された時、算出される期間が誤検出した検出信号Ｂ出力の時から検出信号Ａの出力された時間という長い期間になってしまう恐れがある。
【００３０】
したがって、前記第２の演算手段７は設定されたＴｂ＋Ｔｎから前記検出信号Ｂを出力した時から経過した時間を求め、検出信号Ｂの出力後から検出信号Ａが出力されるまでの時間の制限をする設定値Ｔｗｌｉｍが以上時間が経過した場合、フラグＤをＬにすることにより、誤検出した前記検出信号Ｂにより演算結果を回避する。
【産業上の利用可能性】
【００３１】
本発明にかかる液晶表示装置は、アクティブマトリックス型液晶表示装置の駆動方法および液晶表示装置として有用であり、特に広視野角、高速応答性を有するＯＣＢ液晶モードを利用した液晶表示装置の駆動方法および液晶表示装置に適している。
【図面の簡単な説明】
【００３２】
【図１】本発明の実施の形態１における液晶表示装置の全体構成図
【図２】本発明の実施の形態２における液晶表示装置の全体構成図
【図３】本発明の実施の形態１における出力映像信号が不正規信号になった時のタイムチャート
【図４】本発明の実施の形態１における第１の演算手段のフローチャート
【図５】本発明の実施の形態２における第２の検出手段が誤検出した時のタイムチャート
【図６】本発明の実施の形態２における第２の演算手段のフローチャート
【図７】従来の液晶表示装置の全体構成図
【符号の説明】
【００３３】
１    信号処理手段
２    液晶表示手段
３    第１の検出手段
４    制御手段
５    第２の検出手段
６    カウンター
７    第１の演算手段
８    転移復帰駆動手段
９    第２の演算手段
【図１】
2005115041.tif 000003
【図２】
2005115041.tif 000004
【図３】
2005115041.tif 000005
【図４】
2005115041.tif 000006
【図５】
2005115041.tif 000007
【図６】
2005115041.tif 000008
【図７】
2005115041.tif 000009